(57)【要約】【課題】  開き戸機構付き引き戸において、戸袋体と引き戸体とのあいだに形成される係止片同志の係止を確実にするとともに、戸袋体と引き戸体とのあいだのクリアランスを小さくなるように構成する。【解決手段】  引き戸体３の戸尻に引き戸体係止片１２を形成するとともに、戸袋体１の戸先に支持ブラケット１３を設け、該支持ブラケット１３に、引き戸体３の振れ止めをする振れ止めローラ１４と、前記引き戸体係止片１２に係止する戸袋体下側係止片１５を形成する構成とする。【選択図】        図３
2005048539.tif 000002
【特許請求の範囲】
【請求項１】
開口部の一側部を閉鎖する戸袋体と、該戸袋体に沿って開口部の他側部を開閉するよう構成された引き戸体とを備え、引き戸体が開口部他側部を全開する全開姿勢で、戸袋体と引き戸体とが一体に揺動して開口部を全開するように構成された開き戸機構付き引き戸において、引き戸体が開口部他側部を全閉する全閉姿勢で、戸袋体の揺動を規制する規制手段を、引き戸体の戸尻と戸袋体の戸先とにそれぞれ設けられ、引き戸体の全閉に伴い互いに係止する係止片により構成するにあたり、戸袋体側の係止片は、戸袋体の下端部に設けられ、引き戸体の振れ止めをする振れ止め体が設けられる支持ブラケットに一体に形成されている開き戸機構付き引き戸。
【請求項２】
請求項１において、戸袋体には、上端部に位置して引き戸体側の係止片に係合する副係止片が設けられている開き戸機構付き引き戸。
【請求項３】
請求項１または２において、振れ止め体は、戸袋体と引き戸体との揺動作動における連結部材に兼用されている開き戸機構付き引き戸。
【発明の詳細な説明】
【技術分野】
【０００１】
本発明は、建築物の開口部を仕切る開き戸機構付き引き戸の技術分野に属するものである。
【背景技術】
【０００２】
一般に、開口部を仕切る戸体として、開口部の一側部に戸袋体を設けて開口部の一側部を閉鎖するとともに、該戸袋体に積層状に戸体を設け、該戸体を戸袋体に沿って移動させることで、開口部の他側部を開閉するように構成した引き戸体が知られている。ところがこのものでは、開口部として出入り自在となる部位は引き戸体が開放する他側部のみであるため、出入りする大きさにどうしても限界がある。
そこで、大開口を必要とする仕切り体として、引き戸体が開口部他側部を全開する全開姿勢となったとき、戸袋体と引き戸体とが一体に揺動する開き戸として機能して、開口部の一方側も含めて開放するように構成した開き戸機構付きの引き戸が提唱されている。このように構成した場合、躯体に対して揺動自在に取り付けられる戸袋体は、引き戸体が戸袋体に沿って開閉作動しているとき揺動作動をしないようにすることが必要となる。
【０００３】
この改善策として、戸袋体の固定手段を、戸袋体の戸先と引き戸体の戸尻とのあいだに、それぞれの戸面側に向けて突出する突片の先端縁に戸体面と平行となる係止片を上下方向全長に亘って設け、これら係止片同志を、引き戸体の全閉に伴い係止させる構成とし、戸袋体が引き戸体から離れて揺動しないように移動規制をする構成としたものが提唱されている。
【特許文献１】特開昭５８−１５０６８１号公報
【発明の開示】
【発明が解決しようとする課題】
【０００４】
ところが、前記従来のものにおいて、戸袋体の揺動規制は、引き戸体が開口部を開放しているときは引き戸体に沿うことでなされており、引き戸体が開口部を次第に閉鎖するときでは、閉鎖するに従い戸袋体の引き戸体に沿う面積が小さくなり引き戸体からの揺動規制力が小さくなるので、引き戸体が開口部を全閉姿勢とするときでは、戸袋体側係止片と引き戸体側係止片とを係合させることにより戸袋体の揺動規制をするようにしている。このものにおいて、引き戸体は、引き戸体の下面に設けたローラが床面に設けたレールを走行することで振れ止めがなされるものの、ローラとレールとのあいだに設けられる遊びに基づく振れについては回避することができず、このため、引き戸体の全閉時に引き戸体側係止片と戸袋体側係止片との係止を確実にするためには、各戸体と係止片とのあいだのクリアランスを大きく確保しなければならないという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、開口部の一側部を閉鎖する戸袋体と、該戸袋体に沿って開口部の他側部を開閉するよう構成された引き戸体とを備え、引き戸体が開口部他側部を全開する全開姿勢で、戸袋体と引き戸体とが一体に揺動して開口部を全開するように構成された開き戸機構付き引き戸において、引き戸体が開口部他側部を全閉する全閉姿勢で、戸袋体の揺動を規制する規制手段を、引き戸体の戸尻と戸袋体の戸先とにそれぞれ設けられ、引き戸体の全閉に伴い互いに係止する係止片により構成するにあたり、戸袋体側の係止片は、戸袋体の下端部に設けられ、引き戸体の振れ止めをする振れ止め体が設けられる支持ブラケットに一体に形成されているものである。
そして、このようにすることにより、戸袋体に対し引き戸体を位置決めした状態で係止片同志の係止を行うことができる。
請求項２の発明は、請求項１において、戸袋体には、上端部に位置して引き戸体側の係止片に係合する副係止片が設けられているものであり、このようにすることにより、戸袋体と引き戸体との係止を上下においてできるものでありながら、コスト低下に寄与できる。
請求項３の発明は、請求項１または２において、振れ止め体は、戸袋体と引き戸体との揺動作動における連結部材に兼用されているものであり、このようにすることにより、戸袋体と引き戸体との開閉揺動の操作性が向上する。
【発明の効果】
【０００６】
請求項１の発明とすることにより、係止片同志の係止が確実となって、戸袋体と引き戸体とのあいだのクリアランスを小さくすることができる。
請求項２の発明とすることにより、係止片同志による係止が上下においてなされて戸袋体の揺動規制が確実となるうえ、コスト削減を果せる。
請求項３の発明とすることにより、部材の兼用化が果せるうえ、操作性が向上する。
【発明を実施するための最良の形態】
【０００７】
次ぎに、本発明の実施の形態について、図面に基づいて説明する。
図中、１は例えば病院の集中治療室等の室内への出入り口部となる開口部の一側部に配設された戸袋体であって、該戸袋体１は、一側部（戸尻）が上下の枢軸１ａを介して、開口部の上部を構成する上側枠体２と、開口部の下部を構成する床面とにそれぞれ枢支され、図１の図面向かって奥側であって、本実施の形態では室外側への開放揺動が可能となるように構成されている。さらに、開口部の他側部には、戸袋体１の室内側に沿う状態で引き戸体３が設けられており、該引き戸体３は、後述するように開口部他側部を閉鎖する全閉姿勢から戸袋体１と室内外方向に積層して開口部他側部を開放する全開姿勢とに変姿するように構成されている。
【０００８】
前記引き戸体３は、左右に長い左右フレーム４ａと上下に長い上下フレーム４ｂとによりＬ字形状に形成されたフレーム部４と、該フレーム部４の内側面に内嵌されるパネル部５とを、フレーム部４に対し本体部５が室外側に開放揺動が可能となる状態で連結することにより構成されており、この構成についての詳細な説明は後述する。
そして、本実施の形態の引き戸体３は自閉式に構成されており、その構成をつぎに説明する。
つまり、前記上側枠体２は躯体開口部の上部に一体に設けられるよう長尺状に形成されており、該上側枠体２の室内側面２ａに吊りレール６が一体的に設けられている。前記吊りレール６は側面視で略Ｌ字状に形成され、上下方向を向く脚片６ａが上側枠体２に一体的に固定され、左右方向を向く脚片６ｂの先端部に上下方向を向くレール部６ｃが形成される構成となっている。そして、吊りレール６は、一側方（戸袋体１の配設側）ほど高位に位置するよう傾斜する状態で上側枠体２に取付けられている。
【０００９】
一方、７は引き戸体３を構成するフレーム部４の左右フレーム４ａに、所定間隙を存して配される一対のローラブラケットであって、これらローラブラケット７の屋内側面にそれぞれローラ８が回動自在に枢支されている。これらローラ８は外周面に凹溝部８ａがそれぞれ形成され、該凹溝部８ａをレール部６ｃに上側から係合させることで、引き戸体３が吊りレール６に吊持状に支持されるように設定されている。そして、引き戸体３は、ローラ８が吊りレール部６ｃを転動走行することで吊りレール６に沿って開閉移動を行うが、前述したように、吊りレール６は一側ほど高位置になるように傾斜しており、これによって、引き戸体３は、図２の実線で示すように、開口部他側部を閉鎖する全閉姿勢から開放操作をした場合、自重に基づいて傾斜状の吊りレール６に沿って自動的に閉鎖するように設定されており、このようにして自閉式の引き戸体３が構成されている。
【００１０】
さらに、引き戸体３（左右フレーム４ａ）の戸尻側（一側部）の上端部には、上下方向揺動自在な軸部９ａの先端にローラ９ｂが軸承されたエンドストッパー９が設けられる一方、上側枠体２の室内側面２ａには、一端部側に位置してストッパ受け体１０が設けられており、図２の仮想線で示すように、引き戸体３が開口部他側部を全開する全開姿勢に変姿した場合に、エンドストッパー９がストッパ受け体１０に係止し、引き戸体３の全開姿勢を保持するように構成されている。尚、ストッパ受け体１０は、エンドストッパー９を引き戸体３の閉鎖方向に引っ張ることでエンドストッパー９との係止を解除するように構成されており、これによって、引き戸体３の全開姿勢の保持は、引き戸体３を強制的に閉鎖操作することに伴い解除されるように設定されている。尚、引き戸体３の強制的な閉鎖操作力は、ストッパ受け体１０とエンドストッパー９との係止を解除するに足る操作力であればよく、適宜の設定が可能となるように構成されている。
また、前記上側枠体２の室内側面２ａには、自動的に閉鎖する引き戸体３のローラブラケット７が全閉する少し前の段階で当接して、引き戸体３の全閉に基づく衝撃を緩衝するためのピストンシリンダ１１が設けられている。
【００１１】
さて、前記引き戸体３を構成するフレーム部４とパネル部５とは、左右フレーム部４ａのコーナー部下端部と、上下フレーム４ｂの戸先側下端部とに配設された上下の枢支軸４ｃを介して、パネル部５の戸尻側部位を枢支することにより連結されており、これによって、パネル部５は、上下の枢支軸４ｃを支点としてフレーム部４から室外側に向く開閉揺動が自在となる開き戸式となるように構成されている。さらに、左右フレーム４ａと上下フレーム５とのあいだには、左右フレーム４ａ下端面とパネル部５上端面とのあいだに位置してレバー５ａが設けられ、パネル部５のフレーム部４に対する揺動範囲が規制されるように構成されている。また、左右フレーム４ａ下端面には、戸先側に位置して略コ字形に折曲形成された止め金具２６の脚片が固定される一方、パネル部５上端面戸先側には、止め金具２６に係止する係止片を備えた受け金具２６ａが設けられており、これら止め金具２６と受け金具２６ａとは、フレーム部４に対してパネル部５が室外方向に開放揺動することでとが係止解除され、室内方向への閉鎖揺動で係止されて、パネル部５がフレーム部４に支持されるように構成されている。
これによって、パネル部５は、フレーム部４に対して面一状となる閉鎖状態において、戸尻側については枢支軸４ｃによる支持を受け、戸先側については止め金具２６と受け金具２６ｃとによるフレーム部４からの支持を受けるように設定され、フレーム部４に作用するパネル部５の荷重がバランスされるように配慮されている。
【００１２】
さらに、前記フレーム部４の上下フレーム４ｂの下端面、そして、パネル部５の下端面には、上方に凹設された凹溝４ｄ、５ｃがそれぞれ左右方向に長く連続する状態で凹設されている。また、上下フレーム４ｂ室外側面の戸尻側となる一端側縁部には、上下方向全長に亘って係止片（引き戸体係止片）１２が一体的に設けられているが、前記係止片１２は、上下フレーム４ｂの一端側面と面一状に室外側に突出する突片１２ａと、該突片１２ａの突出端縁部から他側方に延出して引き戸体３の戸体面に平行となる延出片１２ｂとにより構成され、一端側（戸袋体１側）に開口１２ｃが形成されたものとなっている。
【００１３】
一方、戸袋体１の戸先側となる他端側縁部の下端には、本発明が実施された支持ブラケット１３が設けられ、ここに、引き戸体３の振れ止めをするべく引き戸体３の前記凹溝４ｄ、５ｃに嵌合する振れ止めローラ（本発明の振れ止め体に相当する）１４のローラ軸１４ａと、引き戸体３の下側部位との係止をするための戸袋１側の係止片（以降、戸袋体下側係止片）１５とが設けられている。
つまり、支持ブラケット１３は、戸袋体１下端面と面一となる第一脚片１３ａと、該第一脚片１３ａから上方に延出し、戸袋体１室内側面の他端側下端部に螺子止め固定される第二脚片１３ｂとを備えたＬ字形に折曲形成されたものに構成されている。前記第一脚片１３ａは、戸袋体１の他端側面よりも他側方に延出する状態で延長部１３ｃが形成されており、ここに、振れ止めローラ１４のローラ軸１４ａの基端部が固着されている。また、第二脚片１３ｂには、戸袋体１の一端側面と面一状に室内側に突出する突片１５ａと、該突片１５ａの突出端縁部から一側方に向けて延出して戸袋体１の戸体面に対して平行となる延出片１５ｂとにより構成され、他端側（引き戸体３側）が開口１５ｃとなった係止片（戸袋体下側係止片）１５が一体に形成されている。
【００１４】
さらに、戸袋体１の他端側縁部の上端には、Ｕ字形に折曲形成された上側係止片（戸袋体上側係止片であって、本発明の副係止片に相当する）１６が設けられるが、該戸袋体上側係止片１６は、戸袋体１室内側面の他端側上端部に螺子止め固定される取付け片１６ａに、戸袋体１の一端側面と面一状に室内側に突出する突片１６ｂと、該突片１６ｂの突出端縁部から一側方に向けて延出して戸袋体１の戸体面に対して平行となる延出片１６ｃとにより構成され、他端側（引き戸体３側）に開口１６ｄが形成されたものとなっている。
尚、１７は戸袋体１を開口部一側部を閉鎖する閉鎖姿勢に維持するための落し錠であり、１８は引き戸体３に設けた操作ハンドルであり、１９は開口部上方の上側枠体２の室内側を覆うカバー体である。
【００１５】
このように構成された開き戸機構付き引き戸において、戸袋体１を閉鎖姿勢として落し錠１７により施錠し、引き戸体３を戸袋体１の室内側面に沿って吊りレール６に吊持させたとき、戸袋体１側に設けた振れ止めローラ１４のローラ部１４ａは、引き戸体３下端部の凹溝部４ｄ、５ｃに嵌合して相対走行自在に構成されている一方、戸袋体１の上、下側係止片１６、１５と、引き戸体係止片１２とは、互いの開口１６ｄ、１５ｃ、１２ｃ同志が左右方向に対向する位置関係となるように設定されている。
このものにおいて、戸袋体１を開口部他側部を閉鎖する全閉姿勢としたとき、振れ止めローラ１４は、引き戸体フレーム部４の凹溝部４ｄの一端側に位置するように設定されている。さらに、引き戸体３の全閉姿勢において、振れ止めローラ１４に隣接して形成された戸袋体下側係止片１５および上側係止片１６と、引き戸体係止片１２とは、延出片１５ｂ、１６ｃ、１２ｂが、対向する開口１２ｃ、１５ｃまたは１６ｄに嵌入する係止姿勢となっており、これによって、戸袋体１は、前記各係止片１５、１６、１２同志の係止に基づく引き戸体３による揺動規制を受けており、引き戸体３の全閉姿勢において落し錠１７が解錠されて戸袋体１が揺動自在な状態になったとしても、戸袋体１７は揺動規制を受けることができるように構成されている。
【００１６】
一方、前記状態から、操作ハンドル１８の操作に基づいて引き戸体３を開放させたとき、引き戸体３の上部は吊りレール６に案内され、下部は戸袋体１側に設けた振れ止めローラ１４に案内される状態で開放作動をするように設定されている。そして、エンドストッパー９がストッパ受け体１０に係止する以前での開閉作動においては操作ハンドル１８の操作が停止されることに伴い、引き戸体３は自動的に閉鎖するように設定され、エンドストッパー９がストッパ受け体１０に係止する位置まで開放して引き戸体３が全開姿勢となった状態では、該全開姿勢が保持され、振れ止めローラ１４は引き戸体３の戸先側に達するように設定されている。このとき、引き戸体３のフレーム部４とパネル部５とのあいだには第一、第二安全装置２０、２１が設けられており、引き戸体３が全開姿勢となることに伴い、フレーム部４とパネル部５とのあいだの連結が解除される（第一安全装置２０）とともに、フレーム部４の一端側への移動規制がなされる（第二安全装置２１）ように設定されている。この状態において、戸袋体１の落し錠１７と、引き戸体３（パネル部５）に設けられた落し錠２３とを解錠操作して、引き戸体３の操作ハンドル１８を室外側に押しやると、戸袋体１と引き戸体３とが開き戸となり、それぞれ上下の枢軸１ａ、上下の枢支軸４ｃを支点として一体に開放揺動するように設定されており、このとき、戸袋体１と引き戸体３とは、振れ止めローラ１４が引き戸体３の凹溝部５ｃ内を相対移動することにより、連結された状態で開放揺動するように設定されている。
ここで、２２は開口部一側方室内側に設けられ、全開姿勢の引き戸体３のフレーム部４の振れ止めをするための振れ止め体である。
【００１７】
叙述の如く構成された本発明の実施の形態において、引き戸体３は吊りレール６に沿って移動し、閉鎖時には吊りレール６が傾斜状態となっているため自動的に移動する（自閉する）。そして、引き戸体３が開口部の他側部を開放する開放姿勢となったとき、引き戸体３は戸袋体１とともに室外側に開放揺動するように構成されており、このため、戸袋体１は、上下の枢軸１ａを介して上側枠体２に枢支されている。このものにおいて、引き戸体３が全閉姿勢となった状態で、引き戸体係止片１２と、戸袋体上側係止片１６および戸袋体下側係止片１５とは互いに係止する構成となっており、これによって、戸袋体１の落し錠１７が解錠されたとしても、引き戸体３による移動規制（揺動規制）を受け、戸袋体１が開放揺動するようなことはない。そしてこの場合に、戸袋体１側に設けられる係止片１５、１６のうち、下側の係止片１５は、引き戸体３の振れ止めをするべく、引き戸体３の凹溝部４ｄ、５ｃに嵌合する振れ止めローラ１４が設けられる支持ブラケット１３に設けられている。このため、引き戸体３は、下部においては凹溝部４ｄ、５ｃと振れ止めローラ１４との嵌合により、戸袋体１に対して位置決めされた状態となり、戸袋体１と引き戸体３とのクリアランスが略一定に確保される。この結果、引き戸体３が全閉姿勢になったとき、振れ止めローラ１４とともに支持ブラケット１３に形成された係止片１５と引き戸体係止片１２との係止が確実になり、係止片１５、１２に形成される開口１５ｃ、１２ｃの開口幅を小さくすることが可能となって、戸袋体１と引き戸体３とのあいだのクリアランスを小さく設定することができる。
【００１８】
さらにこのものでは、引き戸体３側の係止片１２については上下方向全長に亘って設けられているが、戸袋体１側の係止片１５、１６については、上下二箇所に設けられている。この場合に、引き戸体３の上部は、吊りレール６とローラ８との係合により位置決めされた状態であるので、該部位における引き戸体係止片１２と戸袋体上側係止片（副係止片）１６とにおいても係止が確実となり、係止片１５、１２に形成される開口１５ｃ、１２ｃの開口幅を小さくすることが可能となる。しかも、このものでは、戸袋体１側の係止片１５、１６が上下方向全域ではなく上下の所定箇所に設けられるだけの構成であるので、戸袋体１の移動規制が確実なものでありながら、コスト低下に寄与することができる。
【００１９】
そのうえ、このものにおいて、振れ止めローラ１４は、引き戸体３が左右方向に開閉作動する場合について振れ止めをするものであるが、引き戸体３が戸袋体１とともに室外側に開放揺動するときでは、これら戸体３、１同志の連結部材となって揺動することになるので、開放作動が操作性よくかつ安定したものになるうえ、部材の兼用化を図ることができる。
【図面の簡単な説明】
【００２０】
【図１】開き戸機構付き引き戸の室内側からの概略正面図である。
【図２】開き戸機構付き引き戸の一部部材を取外した状態の室内側からの正面図である。
【図３】開き戸機構付き引き戸の平面断面図である。
【図４】開き戸機構付き引き戸の縦断面図である。
【図５】開き戸機構付き引き戸の縦断面図である。
【図６】開き戸機構付き引き戸の縦断面図である。
【図７】開き戸機構付き引き戸の縦断面図である。
【図８】図８（Ａ）、（Ｂ）、（Ｃ）はそれぞれ戸袋体下側係止片が形成された支持ブラケットの平面図、正面図、側面図である。
【図９】図９（Ａ）、（Ｂ）、（Ｃ）はそれぞれ戸袋体上側係止片の正面図、平面図、側面図である。
【図１０】開き戸機構付き引き戸の概略平面図である。
【図１１】開き戸機構付き引き戸の作用を説明する概略平面図である。
【符号の説明】
【００２１】
１    戸袋体
２    上側枠体
３    引き戸体
４    フレーム部
５    パネル部
１２    引き戸体係止片
１３    支持ブラケット
１４    振れ止めローラ
１５    戸袋体下側係止片
１６    戸袋体上側係止片
【図１】
2005048539.tif 000003
【図２】
2005048539.tif 000004
【図３】
2005048539.tif 000005
【図４】
2005048539.tif 000006
【図５】
2005048539.tif 000007
【図６】
2005048539.tif 000008
【図７】
2005048539.tif 000009
【図８】
2005048539.tif 000010
【図９】
2005048539.tif 000011
【図１０】
2005048539.tif 000012
【図１１】
2005048539.tif 000013